(57)【特許請求の範囲】
【請求項１】
現像装置に供給するトナーを収容し、交換可能であり、トナーを攪拌、搬送する攪拌部材を含むトナー収容体と、
モーターを含み、前記攪拌部材を回転させる駆動機構と、
前記トナー収容体のトナーを検知し、検知しているトナーの量に応じて出力が変わるトナー検知体と、
前記トナー検知体の出力値に基づき、前記撹拌部材の回転に応じた前記トナー検知体の出力値の変動の周期を認識する検知処理部と、
前記トナー収容体のトナーの残量を求めるためのトナー消費量データが記憶される記憶部と、を含み、
前記検知処理部は、前記周期が前記第１周期よりも長くなったとき、前記駆動機構で異常が発生したことを検知し、前記駆動機構に前記攪拌部材の回転を停止させ、また、前記トナー消費量データに基づき前記トナー収容体のトナーの残量を求め、求めたトナーの残量が少なくなるほど、前記第１周期を短くしてゆくことを特徴とするトナー供給装置。
【請求項２】
前記トナー検知体の出力値の変動の周期が第１周期よりも長くなったとき、異常発生を報知する報知部を含むことを特徴とする請求項１に記載のトナー供給装置。
【請求項３】
前記記憶部は、前記トナー収容体のトナーの残量に応じた前記周期を示す周期推移データを記憶し、
前記検知処理部は、前記トナー消費量データに基づき前記トナー収容体のトナーの残量を求め、以前に取り付けられた前記トナー収容体で同じトナーの残量のときに認識した前記周期に固定時間を加算した時間を前記第１周期とすることを特徴とする請求項１又は２に記載のトナー供給装置。
【請求項４】
前記報知部は、前記周期が前記第１周期以下であるとともに、前記周期が前記第１周期よりも短い第２周期よりも長ければ、前記トナー収容体の再装着を促す旨の報知を行うことを特徴とする請求項２に記載のトナー供給装置。
【請求項５】
請求項１乃至４の何れか１項に記載のトナー供給装置を含むことを特徴とする画像形成装置。
【発明の詳細な説明】
【技術分野】
【０００１】
本発明は、トナーを現像装置に供給するトナー供給装置に関する。又、トナー供給装置を含む画像形成装置に関する。
【背景技術】
【０００２】
複合機、プリンター、複写機、ＦＡＸ装置等の画像形成装置には、静電潜像をトナーで現像して得られたトナー像を用紙に転写するとともに定着させて印刷を行うものがある。そして、トナー切れを防ぐ、適切な濃度の画像を得る等の観点から、現像装置内のトナー量を知るため、トナー量を検知するためのセンサーを現像装置内に設けることがある。しかし、センサーに異常が有れば、正確なトナー量を検知できない。そうすると、現像装置へのトナーの過剰供給や、反対に、トナー切れが生じ、画像不良や現像装置の故障が生ずる可能性がある。そこで、トナー量を検知するセンサーの異常検出を行う現像装置が特許文献１に記載されている。
【０００３】
具体的に、特許文献１には、トナーが収容された容器内の磁界を計測するトナーセンサーと、トナーセンサーの出力波形を記憶するメモリと、メモリに記憶されたトナーセンサーの出力の振幅を計算する振幅計算部と、振幅を所定値と比較する比較部とを備え、トナーセンサーは、容器内のトナーが攪拌されることに起因する周期性をもった波形を出力し、振幅計算部は、周期毎にトナーセンサーの出力の振幅を計算し、比較部は、振幅に基づいてトナーの量を判定する現像装置が記載されている。この構成により、トナーの異常やトナーセンサーの異常を、より精度良く検出する（特許文献１：請求項１、段落［０００３］、［００１０］等参照）。
【先行技術文献】
【特許文献】
【０００４】
【特許文献１】特開２００６−２０８６４３号公報
【発明の概要】
【発明が解決しようとする課題】
【０００５】
画像形成装置には、通常、現像装置に補給するトナーを収容するトナー収容体（「コンテナ」や「トナーカートリッジ」と呼ぶこともある）が取り付けられる。例えば、トナー収容体と現像装置にはそれぞれ開口部が設けられる。そして、それぞれの開口部（補給口）が補給管等で接続される等により、トナーの補給経路が形成される。そして、トナー収容体の内部には、回転することによりトナーを攪拌しつつ開口部に向けてトナーを搬送する攪拌部材が設けられることがある。例えば、撹拌部材には、攪拌、搬送のため螺旋状の羽根が設けられる。そして、モーター（例えば、ＤＣモーター）やギア等の駆動機構は、撹拌部材を回転させる。又、トナー収容体内のトナー量や空になったか否かを検知するセンサーが設けられることがある。これらのトナー収容体、攪拌部材、センサー、駆動機構等が、現像装置に対してトナーを供給するトナー供給装置として機能する。
【０００６】
ここで、撹拌部材は駆動機構により回転される。例えば、モーターやギア等で異常が生ずると、撹拌部材を回転させるためのトルクが通常よりも大きくなる。トルクが通常よりも大きい状態や、モーターのロック状態が維持されると、駆動機構が壊れることがある。又、トルクが通常よりも大きい状態やロック状態により電流が通常よりも多い状態が続くと、巻き線温度の上昇により、モーターが壊れる可能性がある。例えば、ギアの噛み合いのずれや、トナー収容体の不適切な取り付けや、トナーの吸湿やトナーの一部溶融等による粘度増大や、モーターの経時変化などに起因し、撹拌部材を回転させるためのトルクが通常よりも大きくなることがある。従って、撹拌部材を回転させる駆動機構の故障、故障を防ぐため、トルクが通常よりも大きい状態やロック状態のような異常な状態となると、駆動機構を停止させなければならないという問題がある。
【０００７】
トルクが大きくなったり、ロックしたりするとモーターの電流が増加する。そこで、従来、モーターの電流の大きさを検知するための電流検知用の回路が設けられている。そして、この電流検知用の回路を用い、モーターの電流の大きさをマイクロプロセッサー等で監視し、モーターの電流が一定値を越えるとモーターを停止させる処理がなされている。しかし、電流検知用の回路を設けると画像形成装置の製造コストが増えてしまう。
【０００８】
ここで、特許文献１記載の発明によれば、確かにトナーの異常やトナーセンサーの異常を、精度良く検出できる。しかし、特許文献１記載の現像装置は、トナーが正常か否か（濃度が正常か否か）を検知するもので、撹拌部材の駆動機構の異常や、撹拌部材を回転させるためのトルク増大によるモーターの電流の増加の問題に対するものではない。言い換えると、特許文献１記載の発明はトナーセンサーの出力の振幅にのみに着目し、トナーセンサーの検知結果を撹拌部材の駆動機構の異常検知に用いておらず、上記の問題を解決することができない。
【０００９】
本発明は、上記従来技術の問題点に鑑みてなされたものであり、従来のようにモーターの電流検知用の回路を設けることなく、撹拌部材の駆動機構の異常を検知し、駆動機構の故障を防ぐことを課題とする。
【課題を解決するための手段】
【００１０】
上記課題解決のため、請求項１に係るトナー供給装置は、現像装置に供給するトナーを収容し、交換可能であり、トナーを攪拌、搬送する攪拌部材を含むトナー収容体と、モーターを含み、前記攪拌部材を回転させる駆動機構と、前記トナー収容体のトナーを検知し、検知しているトナーの量に応じて出力が変わるトナー検知体と、を含み、前記駆動機構は、前記撹拌部材の回転に応じた前記トナー検知体の出力値の変動の周期が予め定められた第１周期よりも長くなったとき、前記攪拌部材の回転を停止することとした。
【００１１】
攪拌部材は回転し、トナー収容体内のトナーは撹拌部材により攪拌される。そのため、センサーの検知領域内に存在するトナーの量は周期的に変わる。これに対応し、トナー検知体の出力値は、撹拌部材の回転周期にあわせて周期的に変わる。一方、撹拌部材を回転させるためのトルクが大きくなると撹拌部材の回転速度は低下する。又、モーターのロックが生ずれば、撹拌部材の回転は停止する。そのため、撹拌部材を回転させるためのトルクが大きくなると、トナー検知体の出力値の周期は長くなる。又、モーターのロックが生ずれば、トナー検知体の出力値の周期は無限大に長くなる（周期が無くなる）。
【００１２】
そこで、この構成によれば、駆動機構は、撹拌部材の回転に応じたトナー検知体の出力値の変動の周期が予め定められた第１周期よりも長くなったとき、攪拌部材の回転を停止する。これにより、駆動機構の異常によってモーターの撹拌部材を回転させるためのトルク増大やロックによって、トナー検知体の出力値の変動の周期が長くなると、自動的に撹拌部材の回転が停止される。従って、トルク増大やロック等の駆動機構の異常が認められたとき、ギアの故障や、巻き線温度の上昇によるモーターの故障を無くすことができる。又、従来のようにモーターの電流検知用の回路を設けることなく、異常が生じた駆動機構を停止させることができ、製造コストを低減することができる。尚、「第１周期」は、通常の回転速度で撹拌部材を回転させたときのトナー検知体の出力の周期に対し、トルク増大等の駆動機構の異常が認められる周期であり、モーターの定格等の関係で任意に定めることができる値である（例えば、通常の周期の１０％増しなど）。
【００１３】
又、請求項１の発明において、前記トナー検知体の出力値に基づき前記周期を認識する検知処理部を含み、前記検知処理部は、前記周期が前記第１周期よりも長くなったとき、前記駆動機構で異常が発生したことを検知し、前記駆動機構に前記攪拌部材の回転を停止させることとした。
【００１４】
この構成によれば、検知処理部は、周期が第１周期よりも長くなったとき、駆動機構で異常が発生したことを検知し、駆動機構に攪拌部材の回転を停止させる。これにより、従来のようにモーターの電流検知用の回路を設けることなく、トナー検知体の出力にのみに基づいて駆動機構の異常を検知することができる。
【００１５】
又、請求項１の発明において、前記トナー収容体のトナーの残量を求めるためのトナー消費量データが記憶される記憶部を含み、前記検知処理部は、前記トナー消費量データに基づき前記トナー収容体のトナーの残量を求め、求めたトナーの残量が少なくなるほど、前記第１周期を短くしてゆくこととした。
【００１６】
トナーの消費に伴い、撹拌部材を回転させるうえで、トナー収容体のトナーの残量が少なくなるほど、抵抗が減り、撹拌部材を回転させるためのトルクは小さくて済む（負荷が軽くなる）。そこで、この構成によれば、検知処理部は、トナー消費量データに基づきトナー収容体のトナーの残量を求め、求めたトナーの残量が少なくなるほど、第１周期を短くしてゆく。これにより、トナーの残量が少なくなり、周期が短くなる傾向に従い、第１周期を短くすることができる。
【００１７】
又、請求項２に係る発明は、請求項１の発明において、前記トナー検知体の出力値の変動の前記周期が前記第１周期よりも長くなったとき、異常発生を報知する報知部を含むこととした。
【００１８】
この構成によれば、トナー供給装置は、周期が第１周期よりも長くなったとき、異常発生を報知する報知部を含む。これにより、駆動機構の異常を使用者に対して報知することができる。
【００１９】
又、請求項３に係る発明は、請求項１又は２の発明において、前記トナー収容体のトナーの残量を求めるためのトナー消費量データと、前記トナー収容体のトナーの残量に応じた前記周期を示す周期推移データを記憶する前記記憶部を含み、前記検知処理部は、前記トナー消費量データに基づき前記トナー収容体のトナーの残量を求め、以前に取り付けられた前記トナー収容体で同じトナーの残量のときに認識した前記周期に固定時間を加算した時間を前記第１周期とすることとした。
【００２０】
この構成によれば、検知処理部は、トナー消費量データに基づきトナー収容体のトナーの残量を求め、以前に取り付けられたトナー収容体で同じトナーの残量のときに認識した周期に固定時間を加算した時間を第１周期とする。これにより、前のトナー収容体取り付け時に計測された周期を用いることで、トナー供給装置の個体差や経時的な変化を鑑み、駆動機構の異常発生の検知の精度を向上させることができる。又、トナー供給装置の個体差を鑑み、適切なタイミングで駆動機構を停止させることができる。尚、「固定時間」は任意に定めることができる時間である。固定時間は周期が長くなったときに許容できる限界を示す目安の時間である。
【００２１】
又、請求項４に係る発明は、請求項２の発明において、前記報知部は、前記周期が前記第１周期以下であるとともに、前記周期が前記第１周期よりも短い第２周期よりも長ければ、前記トナー収容体の再装着を促す旨の報知を行うこととした。
【００２２】
駆動機構の故障やモーターの過熱の観点から見て、駆動機構を停止させるほどではないが、撹拌部材を回転させるためのトルクが通常よりも大きくなっている場合がある。このようなとき、トナー収容体を振ることでトナーの流動性を高めたり、トナー収容体を正確に付け直したりすることで改善されることがある。そこで、この構成によれば、報知部は、周期が第１周期以下であるとともに、周期が第１周期よりも短い第２周期よりも長ければ、トナー収容体の再装着を促す旨の報知を行う。これにより、撹拌部材を回転させるためのトルクが通常に戻るように仕向けることができる。
【００２３】
又、請求項５に係る画像形成装置は、請求項１乃至４の何れか１項に記載のトナー供給装置を含むこととした。
【００２４】
この構成によれば、画像形成装置に含まれるトナー供給装置の駆動機構のトルク増大やロック等の駆動機構の異常が生じても、巻き線温度の上昇によるモーターの故障やギアの故障なしに、自動的に駆動機構が停止する画像形成装置を提供することができる。又、異常が生じたことを検知するために、従来のようにモーターの電流検知用の回路を設けることなく、駆動機構を停止させることができ、画像形成装置の製造コストを低減することができる。
【発明の効果】
【００２５】
上述したように、本発明によれば、撹拌部材を回転させる駆動機構の異常を検知するうえで、従来のようにモーターの電流検知用の回路を設けずにすむ。しかも、的確に撹拌部材を回転させる駆動機構での異常を検知し、駆動機構での故障を防ぐことができる。
【図面の簡単な説明】
【００２６】
【図１】複合機の一例を示す断面図である。
【図２】実施形態に係る複合機のハードウェア構成の一例を示すブロック図である。
【図３】トナー供給装置の一例を示す説明図である。
【図４】撹拌部材の一例を示す説明図である。
【図５】トナーセンサーの出力波形の一例を示すグラフである。
【図６】トナーセンサーの出力波形の一例を示すグラフである。
【図７】第１の実施形態に係る駆動機構の異常検知と検知時の駆動機構の停止の流れの一例を示すフローチャートである。
【図８】コンテナのトナーの残量に応じた第１周期を示すデータの一例を示す説明図である。
【図９】第２の実施形態に係る駆動機構の異常検知と検知時の駆動機構の停止の流れの一例を示すフローチャートである。
【図１０】以前に装着されたコンテナに関する周期推移データの一例を示す説明図である。
【発明を実施するための形態】
【００２７】
以下、本発明の実施形態を図１〜図１０を用いて説明する。尚、本実施形態では、トナー供給装置１００を含む複合機１０１（画像形成装置に相当）を例に挙げて説明する。但し、本実施の形態に記載されている構成、配置等の各要素は、発明の範囲を限定するものではなく単なる説明例にすぎない。又、図１〜図８を用いて、第１の実施形態を説明し、図９〜図１０を用いて第２の実施形態を説明する。
【００２８】
（画像形成装置の概略）
まず、図１に基づき、第１の実施形態に係る複合機１０１の概略を説明する。図１は複合機１０１の一例を示す断面図である。
【００２９】
図１に示すように、本実施形態の複合機１０１は最上部に原稿カバー１０２を有する。複合機１０１本体内には、操作パネル１（報知部に相当）、画像読取部２、給紙部３、搬送部４、画像形成部５、定着部６等が設けられる。
【００３０】
図１に破線で示すように、操作パネル１は複合機１０１の正面上方に設けられる。そして、操作パネル１は各種メッセージを表示する液晶表示部１１を含む。例えば、液晶表示部１１は複合機１０１に取り付けられたコンテナ７（トナー収容体に相当、詳細は後述）の残量情報やエラー、異常の発生等、複合機１０１の状態を表示する。又、液晶表示部１１は機能の選択、設定や文字入力等を行うためのキー（ソフトキー）を１又は複数表示できる。又、液晶表示部１１の上面にタッチパネル部１２（例えば、抵抗膜方式）が設けられる。タッチパネル部１２を用いて液晶表示部１１で押下された部分の位置、座標を検出し、いずれのソフトキーが押されたかが認識される。又、操作パネル１には、コピー等の各種機能の実行開始を指示するためのスタートキー１３等、各種のハードキーも設けられる。
【００３１】
原稿カバー１０２は載置読取用コンタクトガラス２１に載置された原稿を押さえる。原稿カバー１０２は支点を有し、正面側の端を振るようにして紙面上下方向に開閉可能である。画像読取部２は原稿を読み取り、原稿の画像データを形成する。又、画像読取部２内には露光ランプ、ミラー、レンズ、イメージセンサ（例えば、ＣＣＤ）等の光学系部材（不図示）が設けられる。尚、原稿カバー１０２に変えて、原稿を１枚ずつ、自動的、連続的に、画像読取部２の読み取り位置（送り読取用コンタクトガラス２２）に向けて搬送する原稿搬送装置を設けてもよい。
【００３２】
そして、これらの光学系部材を用い、載置読取用コンタクトガラス２１に載置される原稿に光を照射し、その原稿の反射光を受けたイメージセンサの各画素の出力値をＡ／Ｄ変換し、画像データが生成される。複合機１０１は、読み取りにより得られた画像データに基づき印刷を行うことができる（コピー機能）。
【００３３】
給紙部３は複数の用紙が載置されるカセット３１を複数含む（図１で上方のものに３１ａ、下方のものに３１ｂの符号を付す）。各カセット３１は複数の用紙（例えば、コピー用紙、普通紙、再生紙、厚紙、ＯＨＰシート等の各種シート）を収容する。又、各カセット３１に対し、回転駆動して用紙を搬送部４に送り出す給紙ローラー３２が設けられる（図１で上方のものに３２ａ、下方のものに３２ｂの符号を付す）。印刷時、何れかの給紙ローラー３２が回転駆動し、印刷に要する用紙が１枚ずつ搬送部４に送り出される。
【００３４】
搬送部４は給紙部３から供給された用紙を排出トレイ４１まで搬送する。画像形成部５、定着部６等が用紙搬送経路上に配される。そして、搬送部４には、用紙の案内のためのガイド４２や、用紙搬送の際に回転駆動する搬送ローラー対４３、搬送されてくる用紙を画像形成部５の手前で待機させ、形成されたトナー像の転写タイミング合わせて用紙を送り出すレジストローラー対４４や、排出トレイ４１に向けて用紙を排出する排出ローラー対４５等が設けられる。
【００３５】
画像形成部５は画像データに基づきトナー像を形成し、搬送される用紙にトナー像を転写する部分である。そして、画像形成部５は図１中に示す矢印方向に回転駆動可能に支持された感光体ドラム５１、及び、感光体ドラム５１の周囲に配設された帯電装置５２、露光装置５３、現像装置５４、転写ローラー５５、クリーニング装置５６等を含む。
【００３６】
トナー像形成及び転写プロセスを説明する。感光体ドラム５１は画像形成部５の略中心に設けられ、所定方向に回転駆動する。帯電装置５２は感光体ドラム５１の表面を所定電位に帯電させる。露光装置５３は画像データに基づきレーザ光を出力し、感光体ドラム５１表面を走査、露光する。これにより、感光体ドラム５１の表面には画像データに応じた静電潜像が形成される。尚、画像データは、画像読取部２で得られた画像データや、ネットワーク等で接続される外部のコンピューター２００や相手方ＦＡＸ装置３００から送信された画像データ等が用いられる（図２参照）。
【００３７】
そして、現像装置５４は感光体ドラム５１表面の静電潜像にトナーを供給して現像する。転写ローラー５５は感光体ドラム５１に圧接する。これにより、転写ニップが形成される。そして、形成されたトナー像にあわせ、レジストローラー対４４は用紙を転写ニップに進入させる。用紙進入時、転写ローラー５５には所定の電圧が印加される。これにより、感光体ドラム５１上のトナー像は用紙に転写される。クリーニング装置５６は転写後に感光体ドラム５１に残留するトナーを除去する。
【００３８】
ここで、複合機１０１の内部には、コンテナ７（トナー収容体に相当、「トナーキット」、「トナーカートリッジ」等、他の呼ばれ方もある）が装着される。コンテナ７は、現像装置５４に供給する（補給する）トナーを収容する。尚、コンテナ７による現像装置５４へのトナー供給の詳細は後述する。
【００３９】
定着部６は用紙に転写されたトナー像を定着させる。定着部６の方式は様々であるが、本実施形態の定着部６は発熱体を内蔵する加熱ローラー６１と加圧ローラー６２を含む。加圧ローラー６２は加熱ローラー６１に圧接し、定着ニップが形成される。そして、この定着ニップに用紙を通過させることで、用紙表面のトナーが溶融・加熱され、トナー像が用紙に定着する。トナー定着後の用紙は排出トレイ４１に排出される。
【００４０】
（複合機１０１のハードウェア構成）
次に、図２を用いて、第１の実施形態に係る複合機１０１のハードウェア構成の一例を説明する。図２は実施形態に係る複合機１０１のハードウェア構成の一例を示すブロック図である。
【００４１】
まず、複合機１０１本体内に、制御部８（検知処理部に相当、例えば、制御基板）が設けられる。例えば、制御部８は操作パネル１、画像読取部２、給紙部３、搬送部４、画像形成部５、定着部６等と接続され、これらの制御を行う。尚、制御部８は全体制御や通信制御や画像処理を行うメイン制御部や、画像形成や各種回転体を回転させるモーター等のＯＮ／ＯＦＦ等を行い、印刷を制御するエンジン制御部等、機能ごとに分割して複数種設けられてもよい。本説明では、これらを１つとしてまとめた形態を示し、説明する。
【００４２】
制御部８には、例えば、ＣＰＵ８１が設けられる。ＣＰＵ８１は処理内容に応じて複数設けられても良い（図２では、便宜上１つのみ図示）。ＣＰＵ８１は記憶装置８２（記憶部に相当）に格納され、展開される制御プログラムに基づき演算等を行い、複合機１０１の各部を制御する。
【００４３】
又、例えば、制御部８には、画像読取部２で原稿を読み取って得られた画像データや通信部８３を介して複合機１０１に入力された画像データに対し、画像処理を施す画像処理部８４が設けられる。画像処理部８４は専用回路であるＡＳＩＣやワークメモリー等の回路、素子を含む。印刷時、画像処理部８４が処理した画像データは露光装置５３に送信され、感光体ドラム５１の走査・露光に用いられる。
【００４４】
記憶装置８２は制御部８と接続される。記憶装置８２は、ＲＯＭ、ＲＡＭ、ＨＤＤ等の揮発性と不揮発性の記憶媒体の組み合わせである。記憶装置８２は複合機１０１の制御用プログラム、制御用データ、設定データ等の各種データを記憶する。又、記憶装置８２は画像読取部２の読み取りで得られた原稿の画像データを記憶できる（スキャナ機能）。
【００４５】
そして、制御部８は通信部８３と接続される。通信部８３は通信チップ、各種コネクター、ソケット、ＦＡＸモデム等を備えた通信用インターフェイスである。通信部８３はネットワークや公衆回線等により複数の外部のコンピューター２００（例えば、パーソナルコンピューターやサーバー）や相手方ＦＡＸ装置３００（図３では、いずれも便宜上１つのみ図示）と通信可能に接続される。例えば、画像読取部２の読み取りで得られた画像データをコンピューター２００に送信することや、相手方ＦＡＸ装置３００に送信することができる（スキャナ機能、ＦＡＸ機能）。又、外部のコンピューター２００や相手方ＦＡＸ装置３００から送信され、複合機１０１に入力される画像データ（ＦＡＸの送信データやＥメールに添付された画像データ）に基づき印刷、ＦＡＸ送信等を行うこともできる（プリンター機能、ＦＡＸ機能）。
【００４６】
又、制御部８は操作パネル１と通信可能に接続される。制御部８は操作パネル１になされた入力を認識する。そして、制御部８は使用者の設定にあわせてコピー、スキャン、ＦＡＸ送信等が行われるように複合機１０１を制御する。例えば、操作パネル１で、使用する給紙部３を指定してコピーする旨が設定されると、制御部８は、指定された給紙部３から給紙を行わせる。又。操作パネル１で指定された送信先に、制御部８は通信部８３から画像データを送信させる。
【００４７】
又、本実施形態の複合機１０１にはコンテナ７が取り付けられる。そして、ＲＦＩＣのタグ７１（記憶部に相当）がコンテナ７に取り付けられる。複合機１０１内部にはタグ７１と無線通信を行うリーダーライター８５が設けられる。タグ７１はシリアルナンバーや、正規品である旨を示す情報や、製造場所を示す情報や、対応する機種を示す情報等、コンテナ７を識別するための識別情報を記憶できる。制御部８はリーダーライター８５を介して識別情報をタグ７１から取得し、コンテナ７が正規品であるか否か等を認識する。
【００４８】
（トナー供給装置１００）
次に、図３、図４を用いて、第１の実施形態に係る複合機１０１に含まれるトナー供給装置１００の一例を説明する。図３はトナー供給装置１００の一例を示す説明図である。図４は撹拌部材７４の一例を示す説明図である。
【００４９】
複合機１０１には、トナーによって静電潜像を現像する現像装置５４が設けられる。現像装置５４にはトナーを担持する現像ローラー５４ａが設けられる。又、現像装置５４内のトナーを撹拌しつつ搬送する２本の搬送部材５４ｂ（例えば、螺旋状の羽根を有する）が設けられる。例えば、２本の搬送部材５４ｂは逆方向に回転する。
【００５０】
静電潜像の現像によりトナーは消費される。そのため、現像装置５４内のトナーは少なくなる。そこで、現像装置５４にトナーを供給（補給）するコンテナ７が複合機１０１内に設けられる。コンテナ７は補給管７１を介して現像装置５４に接続される。トナーの消費に伴い、トナーはコンテナ７から順次、現像装置５４に投入される。又、コンテナ７は、取り外し可能である。使用者はコンテナ７が空になると、コンテナ７を新たなものに交換する。
【００５１】
具体的に、コンテナ７は長手方向（図３の紙面垂直方向）の一端の下面に開口を有する。この開口は現像装置５４に向けてトナーを吐き出す送出口７２となる。一方、現像装置５４の上面にはトナーを受け取るための開口である受取口７３が設けられる。送出口７２と受取口７３は補給管７１で接続される。トナーはコンテナ７から現像装置５４に自重で落下する。これにより、コンテナ７から現像装置５４へのトナーの補給経路が形成される。尚、コンテナ７と現像装置５４の接続方法はこれに限らず、現像装置５４側にトナー吸引装置を設け、吸引によりコンテナ７から現像装置５４にトナーが補給されるようにしてもよい。
【００５２】
コンテナ７には、コンテナ７内のトナーを撹拌しつつ送出口７２に向けて搬送する撹拌部材７４が２本設けられる（１本でもよい）。図４に示すように、螺旋状の羽根７５が撹拌部材７４の回転軸７６に取り付けられる。この羽根７５により、撹拌部材７４を回転させるとトナーは巻き上げられるように撹拌されつつ搬送される。
【００５３】
そして、この撹拌部材７４（の回転軸７６）を回転させるための駆動機構９が設けられる。駆動機構９は撹拌部材７４を回転させる駆動源としてのコンテナモーター９１（モーターに相当）と、コンテナモーター９１の駆動力を回転軸７６に伝えるギア列９２を含む。例えば、コンテナモーター９１は直流モーターである。又、コンテナモーター９１は複合機１０１の機内に設けられる。
【００５４】
又、例えば、コンテナ７の複合機１０１への差込方向（長手方向）の奥側には撹拌部材７４につながる複数のギアが設けられる。そして、コンテナ７を装着することにより、コンテナ７側のギアと、コンテナモーター９１の軸に取り付けられたギアが噛み合う。これらの複数のギアによりギア列９２が構成される。このように、駆動機構９のコンテナモーター９１とギア列９２によりコンテナモーター９１から撹拌部材７４の回転軸７６に駆動力が伝達され、撹拌部材７４が回転する。
【００５５】
そして、制御部８はコンテナモーター９１の回転、停止（ＯＮ／ＯＦＦ）を制御する。例えば、制御部８は印刷実行時（現像実行時）や現像装置５４へのトナーの補給時にコンテナモーター９１を回転させる。
【００５６】
又、現像装置５４の上面部分には、コンテナ７内のトナーの量や有無を検知するためのトナーセンサー７５（トナー検知体に相当）が設けられる。本実施形態の複合機１０１での現像剤に含まれるトナーは磁性体を含む磁性トナーである。そのため、本実施形態の複合機１０１では、トナーセンサー７５には磁気センサーが用いられる。トナーセンサー７５の検知領域（検知範囲）内のトナーの量に応じ、トナーセンサー７５の出力値（出力電圧値）が変化する。
【００５７】
トナーセンサー７５の出力は制御部８に入力される。トナーセンサー７５の出力値の大きさに基づき、制御部８はコンテナ７のトナーの残量を認識できる。又、制御部８は、トナーセンサー７５の出力値が予め定められた範囲の値を示すことにより、コンテナ７が空になったことを認識できる。例えば、コンテナ７の空検知等を行うためのプログラム、データは記憶装置８２に記憶され、制御部８は記憶装置８２の記憶内容を利用する。
【００５８】
これらのコンテナ７、撹拌部材７４、駆動機構９、制御部８、トナーセンサー７５等により現像装置５４にトナーを補給するトナー供給装置１００が構成され、複合機１０１はトナー供給装置１００を含む。尚、制御部８は複合機１０１をコントロールする部分であるとともに、トナー供給装置１００をコントロールする部分として機能する。
【００５９】
（トナーセンサー７５の出力値）
次に、図５、図６を用いて、第１の実施形態に係る複合機１０１に含まれるトナー供給装置１００の一例を説明する。図５、図６はトナーセンサー７５の出力波形の一例を示すグラフである。
【００６０】
まず、図５、図６での縦軸はトナーセンサー７５の出力値（出力電圧値）の大きさ（振幅）を示し、横軸は時間の経過を示す。尚、本説明では、トナーセンサー７５が検知しているトナーが多いほど、出力値が大きくなるトナーセンサー７５を例に挙げて説明する。
【００６１】
そして、図５は撹拌部材７４の回転に伴うトナーセンサー７５の出力値の変動の周期と、コンテナ７内のトナーの残量に応じたトナーセンサー７５の出力変化を説明するための図面である。そして、図５での実線で示す波形はコンテナ７内のトナーの残量が比較的多いときのトナーセンサー７５の出力波形の一例を示し、図５での２点鎖線で示す波形はコンテナ７内のトナーの残量が比較的少ないときのトナーセンサー７５の出力波形の一例を示す。そして、図５では、トナーが比較的多いとき（実線のとき）と比較的少ないとき（二点鎖線のとき）とで、撹拌部材７４の回転速度（コンテナモーター９１の回転速度）を同じとしている。
【００６２】
コンテナ７内のトナーが多いほどトナーセンサー７５の検知領域内に存在するトナーの数が多くなり、トナーセンサー７５が受ける磁束が多くなる。一方、コンテナ７内のトナーが少ないほどトナーセンサー７５の検知領域内に存在するトナーの数が少なくなる。そのため、コンテナ７内のトナーの残量が少ないほど、全体的にトナーセンサー７５の出力レベルは小さくなる。
【００６３】
このトナーセンサー７５の出力特性は、コンテナ７内のトナーの残量の検知に用いることができる。制御部８はトナーセンサー７５の出力をサンプリングし、トナーセンサー７５の出力値の１周期での平均値（平均レベル）を求める。そして、例えば、トナーセンサー７５の出力値の平均値に応じてトナーの残量を定めたデータをトナー消費量データとして記憶装置８２に記憶させておく。そして、制御部８はトナー消費量データを参照し、求めた平均値に対応するコンテナ７内のトナーの残量を認識するようにしても良い。
【００６４】
尚、コンテナ７内のトナーの残量を検知するうえで、他の手法を用いることもできる。例えば、制御部８はコンテナ７の使用開始からの画像データ中のトナーを載せるドットの累計値（ドットカウント値）に基づき、トナーの残量を検知してもよい。例えば、制御部８はリーダーライター８５を介してタグ７１に、コンテナ７の使用開始からの画像データ中のトナーを載せるドットの累計値をトナー消費量データとして記憶させる（記憶装置８２に記憶させてもよい）。
【００６５】
そして、累計値に基づきトナーの残量を求めるとき、制御部８はタグ７１等から累計値を読み出し、予め定められた満杯時での印刷可能なドット数（例えば満杯時から印刷可能なドット数はタグ７１に記憶）と、累計値の比を求める。これにより、制御部８は現在のコンテナ７のトナーの残量を満杯時に対する比率として得る。尚、他の方式によりトナーの残量を求めるのであれば、制御部８はトナーの残量の求め方にあわせて適切なトナー消費量データをタグ７１や記憶装置８２に記憶させればよい。
【００６６】
又、撹拌部材７４による撹拌、搬送により、トナーセンサー７５が検知するトナーの量は時間的に変化する。そのため、図５に示すように、トナーセンサー７５の出力値は時間に伴い変化する。又、螺旋状の羽根７５を有する撹拌部材７４を回転させるので、巻き上げられたり、落下したりするトナーの量は周期的となる。そのため、トナーの周期的な動き（移動）に応じ、トナーセンサー７５の出力値の変動は周期的となる。従って、図５に示すように、コンテナ７内のトナーの残量に寄らず、撹拌部材７４の回転速度を一定にすれば、トナーセンサー７５の出力値の変動の周期はほぼ同様となる。
【００６７】
次に、図６を用いて、撹拌部材７４を回転させるためのトルクの大小とトナーセンサー７５の出力値の変動の周期との関係を説明する。
【００６８】
制御部８は、撹拌部材７４を予め定められた速度で回転するように、コンテナモーター９１を予め定められた速度で回転させる。このとき、問題が無ければ、撹拌部材７４は予め定められた速度で回転する。
【００６９】
しかし、コンテナ７の取り付けが完全でなく、コンテナ７側のギアとコンテナモーター９１側のギアの噛み合いが万全で無い場合や、コンテナ７内のトナーの吸湿等によるトナーの粘度の増加した場合や、非正規品のコンテナ７内のトナーが正規品よりも品質が悪い場合や、コンテナモーター９１から撹拌部材７４までのギア列９２の一部で異常が生じた場合や、コンテナモーター９１の経時変化等により、撹拌部材７４を回転させるためのトルクが通常よりも大きくなることがある。
【００７０】
撹拌部材７４を回転させるためのトルクが通常よりも大きくなると、撹拌部材７４の回転速度は通常よりも遅くなる。従って、図６に示すように、撹拌部材７４を回転させるためのトルクが通常よりも大きくなると、トナーセンサー７５の出力値の変動の周期は、通常のときよりも長くなる。
【００７１】
又、撹拌部材７４を回転させるためのトルクが大きくなりすぎると、コンテナモーター９１がロックする。この場合、コンテナ７内のトナーでの流動が無くなり、トナーセンサー７５の出力はほぼ一定を保つ。従って、トナーセンサー７５の出力値の変動の１周期は、ロックが解除するまで終わらず、周期が極めて長くなる。
【００７２】
撹拌部材７４を回転させるためのトルクが大きい状態や、ロック状態が続くと、駆動機構９に含まれる各ギアに負担がかかり、何れかのギアが壊れかねない。又、撹拌部材７４を回転させるためのトルクが大きい状態や、ロック状態が続くと、コンテナモーター９１に流れる電流が増加し、巻き線温度が上がりすぎてコンテナモーター９１が壊れることもある。
【００７３】
そこで、本実施形態の複合機１０１では、コンテナモーター９１用の電流検知回路を設けずに、トナーセンサー７５の出力に基づき、駆動機構９の異常を検知し、駆動機構９の異常検知に応じて駆動機構９を停止させ、駆動機構９が壊れることを未然に防ぐ。
【００７４】
（駆動機構９の異常検知と検知時の駆動機構９の停止の流れ）
次に、図７、図８を用いて、第１の実施形態に係る駆動機構９の異常検知と検知時の駆動機構９の停止の流れの一例を説明する。図７は第１の実施形態に係る駆動機構９の異常検知と検知時の駆動機構９の停止の流れの一例を示すフローチャートである。図８はコンテナ７のトナーの残量に応じた第１周期を示すデータの一例を示す説明図である。
【００７５】
まず、図７のスタートは現像装置５４にトナーの補給を行うため、制御部８がコンテナモーター９１及び撹拌部材７４の回転を開始させる時点である。例えば、現像装置５４へのトナー補給は画像形成時（現像実行時）など、現像装置５４でトナーが消費されるときに行われる。
【００７６】
あるいは、現像装置５４内のトナーが一定量を下回ったことを検知するトナーレベルセンサー５４ｃ（図２、図３参照）を現像装置５４内に設け、トナーレベルセンサー５４ｃを用いて現像装置５４へのトナー補給の要否が判断されてもよい。この場合、トナーレベルセンサー５４ｃは、トナーに触れているか否か（現像装置５４内のトナーの量が一定量以上であるか否か）により出力が変化するセンサーである。例えば、トナーレベルセンサー５４ｃの出力は制御部８に入力される。制御部８はトナーレベルセンサー５４ｃの出力に基づき、現像装置５４内のトナーの量が一定量以上であるか否かを判断する。そして、現像装置５４内のトナーの量が一定量以上でないと判断したとき、制御部８はコンテナモーター９１を回転させて、少なくとも現像装置５４内のトナーの量が一定量以上となるまで、撹拌部材７４を回転させるようにしてもよい。
【００７７】
撹拌部材７４の回転が開始されると（スタート）、制御部８は駆動機構９の異常を検知するうえで用いる第１周期を記憶装置８２から読み出す（ステップ♯１）。
【００７８】
ここで、図８を用いて、本実施形態での第１周期を説明する。第１周期はトナーセンサー７５の出力値の変動における周期に対して定められ、駆動機構９の異常を検知するために用いられる。本実施形態では、制御部８がトナーセンサー７５の出力値の変動の周期を計測し、計測した周期が第１周期よりも長くなると、制御部８は駆動機構９で異常が生じたと判断する。
【００７９】
制御部８は撹拌部材７４が一定の速度（周速度）で回転するように、コンテナモーター９１の動作（回転速度）を制御する。駆動機構９やトナーなどに異常が無ければ、トナーセンサー７５の出力値の変動の周期は、ほぼ同じ値（通常周期）を示す。異常により撹拌部材７４を回転させるために必要なトルクが大きくなれば、撹拌部材７４の回転速度が低下する。そのため、もし、駆動機構９やトナーやコンテナ７の取り付けなどに問題があれば、トナーセンサー７５の出力値の変動の周期は、通常周期よりも長くなる。
【００８０】
そこで、第１周期は予めの実験により得られた、あるいは、設計的に求められる通常周期よりも長くされる。第１周期は、通常の回転速度で撹拌部材７４を回転させたときのトナー検知体（トナーセンサー７５）の出力の周期（出力値の変動の周期）に対し、トルク増大等の駆動機構９の異常が認められる周期である。「第１周期」は、モーター（コンテナモーター９１）の定格、性能、特性等を勘案し、任意に定めることができる値である。例えば、通常周期よりも１０％〜３０％程度長い周期を第１周期として定めることができる。
【００８１】
ここで、トナーは粉体であるものの、撹拌部材７４を回転させるうえで抵抗となる。トナーや現像剤は様々である。抵抗の大きさが無視できれば、通常周期は一定でよく、第１周期も固定の値でよい（例えば、記憶装置８２が記憶）。しかし、抵抗の大きさが無視できない場合もある。このような場合、コンテナモーター９１に流す電流の大きさ等を勘案し、コンテナ７内のトナーの残量に応じて理想的な通常周期を変えることが考えられる。従って、コンテナ７内のトナーの残量に応じて第１周期を変える場合も有り得る。
【００８２】
尚、上述のように、コンテナ７が取り付けられてから現在までのトナーの消費量を示すトナー消費量データがコンテナ７のタグ７１や記憶装置８２に記憶される。そのため、制御部８はトナー消費量データに基づき、コンテナ７内のトナーの残量を求めることができる。
【００８３】
そこで、図８に示すように、記憶装置８２はトナーの残量の値ごとに対応する第１周期を定めたデータを記憶してもよい（このデータはタグ７１に記憶されていてもよい）。例えば、図８にしめすように、トナーの残量を満杯時に対する比として求め、比の１％刻みで第１周期が定められたデータを記憶装置８２等は記憶してもよい。基本的に、第１周期はトナーの残量が少なくなるに従い、短くされる。そして、制御部８は第１周期を読み出す際に、コンテナ７内のトナーの残量を求め、求めたトナーの残量に応じて予め定められた第１周期を読み出すようにしてもよい（ステップ♯１）。
【００８４】
そして、制御部８はコンテナモーター９１の回転開始から予め定められた待ち時間だけ待つ（ステップ♯２）。予め定められた待ち時間はコンテナモーター９１の回転開始から回転が安定するまでに要する時間である。回転開始から回転速度が安定するまでのトナーセンサー７５の出力値の変動の周期は通常、第１周期よりも長くなる。そこで、制御部８はコンテナモーター９１の回転開始から予め定められた待ち時間だけ待つ。
【００８５】
次に、制御部８はトナーセンサー７５の出力値の変動の周期を計測する（ステップ♯３）。周期の計測方法は様々である。例えば、制御部８は１周期中のトナーセンサー７５の出力値を複数回サンプリングし、トナーセンサー７５のある大きさの出力値（例えば、最大値や最小値等のピーク値）の間隔から周期を計測しても良い。
【００８６】
続いて、制御部８は計測した周期が第１周期よりも長いか否かを判断する（ステップ♯４）。もし、計測した周期よりも第１周期の方が長ければ（ステップ♯４のＹｅｓ）、制御部８は駆動機構９で異常が生じていると認識する（異常発生検知、ステップ♯５）。
【００８７】
この異常発生検知に応じて、制御部８は駆動機構９で異常が発生している旨を報知する（ステップ♯６）。例えば、制御部８は操作パネル１の液晶表示部１１に駆動機構９での異常発生のエラーを表示させる。具体的には、制御部８は液晶表示部１１に「コンテナから現像装置へのトナーの補給で異常があります」、「サービスマンを呼んでください」といったメッセージや、異常箇所を示す画像を表示させる。あるいは、制御部８は通信部８３から複合機１０１の管理用のコンピューター２００やサーバーに向けて駆動機構９での異常発生を示すデータを送信させても良い。更に、制御部８は駆動機構９を停止させる（ステップ♯７）。具体的には、制御部８はコンテナモーター９１を停止させる。そして、本フローは終了する。
【００８８】
一方、計測した周期が第１周期以下であれば（ステップ♯４のＮｏ）、制御部８は計測した周期が第２周期よりも長いか否かを確認する（ステップ♯８）。制御部８は第２周期を用いて、第１周期を越えるほどではないが、撹拌部材７４を回転させるためのトルクが大きくなっていて（撹拌部材７４を回転させるためのトルクがやや大きくなっていて）、状態としてあまり好ましくないことを認識する。第２周期は、撹拌部材７４を回転させるためのトルクがやや大きくなっていて、コンテナ７の再装着を促すうえでの目安の周期である。例えば、第２周期は通常周期よりも長い。例えば、第１周期と通常周期の平均を第２周期と定めることができる。
【００８９】
撹拌部材７４を回転させるためのトルクの増大は、トナーの流動性低下や適切にコンテナ７が装着されていないことに起因することがある。そして、一旦、コンテナ７を外し、コンテナ７が振られるようにし、コンテナ７を再装着すると撹拌部材７４を回転させるためのトルクは通常に戻ることがある。
【００９０】
そこで、計測した周期が第２周期よりも長ければ（ステップ♯８のＹｅｓ）、制御部８はコンテナ７の再装着を促す旨を報知する（ステップ♯９）。例えば、制御部８は操作パネル１の液晶表示部１１にコンテナ７の再装着を促す旨を表示させる。具体的には、制御部８は液晶表示部１１に「コンテナ７いったん取り外し、振った後、再装着して下さい」といったメッセージや、取り外し手順を表示させる。あるいは、制御部８は通信部８３から複合機１０１の管理用のコンピューター２００やサーバーに向けてコンテナ７の再装着を促す旨を示すデータを送信させ、コンピューター２００のディスプレイに表示を行わせても良い。この後、制御部８は駆動機構９を停止させる（ステップ♯７に移行）。そして、本フローは終了する。そして、コンテナ７が再装着されると、スタートから再開されることになる。
【００９１】
一方、計測した周期が第２周期以下であり、特に異常が無ければ（ステップ♯８のＮｏ）、制御部８はコンテナモーター９１を停止させるか否かを確認する（ステップ♯１０）。例えば、制御部８は印刷ジョブの完了や、トナーレベルセンサー５４ｃにより現像装置５４内のトナー量が十分であるとき、コンテナモーター９１を停止させる。
【００９２】
もし、コンテナモーター９１をまだ回転させるのであれば（ステップ♯１０のＮｏ）、例えば、フローはステップ♯３に戻る。これにより、コンテナモーター９１により撹拌部材７４を回転させている間、駆動機構９の異常の検知が行われる。一方、コンテナモーター９１を停止させるのであれば（ステップ♯１０のＮｏ）、駆動機構９の異常検知は不要となり、トナーセンサー７５の出力値の変動の周期を計測できなくなるので、本フローは終了する（エンド）。
【００９３】
撹拌部材７４は回転し、トナー収容体（コンテナ７）内のトナーは撹拌部材７４により撹拌される。そのため、センサーの検知領域内に存在するトナーの量は周期的に変わる。これに対応し、トナー検知体（トナーセンサー７５）の出力値は、撹拌部材７４の回転周期にあわせて周期的に変わる。一方、撹拌部材７４を回転させるためのトルクが大きくなると撹拌部材７４の回転速度は低下する。又、モーター（コンテナモーター９１）のロックが生ずれば、撹拌部材７４の回転は停止する。そのため、撹拌部材７４を回転させるためのトルクが大きくなると、トナー検知体の出力値の変動の周期は長くなる。又、モーターのロックが生ずれば、トナー検知体の出力値の変動の周期は無限大に長くなる（周期が無くなる）。
【００９４】
そこで、本実施形態に係るトナー供給装置１００は、現像装置５４に供給するトナーを収容し、交換可能であり、トナーを撹拌、搬送する撹拌部材７４を含むトナー収容体（コンテナ７）と、モーター（コンテナモーター９１）を含み、撹拌部材７４を回転させる駆動機構９と、トナー収容体のトナーを検知し、検知しているトナーの量に応じて出力が変わるトナー検知体（トナーセンサー７５）と、を含み、制御部８は撹拌部材７４の回転に応じたトナー検知体の出力値の変動の周期が予め定められた第１周期よりも長くなったとき、駆動機構９に撹拌部材７４の回転を停止させる。
【００９５】
これにより、駆動機構９の異常によってモーター（コンテナモーター９１）の撹拌部材７４を回転させるためのトルク増大やロックによって、トナー検知体（トナーセンサー７５）の出力値の変動の周期が長くなると、自動的に撹拌部材７４の回転が停止される。従って、トルク増大やロック等の駆動機構９の異常が認められたとき、ギアの故障や、巻き線温度の上昇によるモーターの故障を無くすことができる。又、従来のようにモーターの電流検知用の回路を設けることなく、異常が生じた駆動機構９を停止させることができ、製造コストを低減することができる。
【００９６】
又、トナー供給装置１００はトナー検知体（トナーセンサー７５）の出力値に基づき（出力値の変動の）周期を認識する検知処理部（制御部８）を含み、検知処理部は、周期が第１周期よりも長くなったとき、駆動機構９で異常が発生したことを検知し、駆動機構９による撹拌部材７４の回転を停止させる。これにより、従来のようにモーター（コンテナモーター９１）の電流検知用の回路を設けることなく、トナー検知体の出力にのみに基づいて駆動機構９の異常を検知することができる。
【００９７】
トナーの消費に伴い、撹拌部材７４を回転させるうえで、トナー収容体のトナーの残量が少なくなるほど、抵抗が減り、撹拌部材７４を回転させるためのトルクは小さくて済む（負荷が軽くなる）。そこで、トナー供給装置１００はトナー収容体（コンテナ７）のトナーの残量を求めるためのトナー消費量データが記憶される記憶部（記憶装置８２、タグ７１）を含み、検知処理部（制御部８）は、トナー消費量データに基づきトナー収容体のトナーの残量を求め、求めたトナーの残量が少なくなるほど、第１周期を短くしてゆく。これにより、トナーの残量が少なくなり、出力値の変動の周期が短くなる傾向に従い、第１周期を短くすることができる。
【００９８】
又、トナー供給装置１００はトナー検知体（トナーセンサー７５）の出力値の変動の周期が第１周期よりも長くなったとき、異常発生を報知する報知部（操作パネル１）を含む。これにより、駆動機構９の異常を使用者に対して報知することができる。
【００９９】
又、駆動機構９の故障やモーター（コンテナモーター９１）の過熱の観点から見て、駆動機構９を停止させるほどではないが、撹拌部材７４を回転させるためのトルクが通常よりも大きくなっている場合がある。このようなとき、トナー収容体（コンテナ７）を振ることでトナーの流動性を高めたり、トナー収容体（コンテナ７）を正確に付け直したりすることで改善されることがある。そこで、報知部（操作パネル１）は、周期が第１周期以下であるとともに、周期が第１周期よりも短い第２周期よりも長ければ、トナー収容体（コンテナ７）の再装着を促す旨の報知を行う。これにより、撹拌部材７４を回転させるためのトルクが通常に戻るように仕向けることができる。
【０１００】
又、画像形成装置（複合機１０１）は、実施形態に係るトナー供給装置１００を含む。これにより、画像形成装置（複合機１０１）に含まれるトナー供給装置１００の駆動機構９のトルク増大やロック等の駆動機構９の異常が生じても、巻き線温度の上昇によるモーター（コンテナモーター９１）の故障やギアの故障なしに、自動的に駆動機構９が停止する画像形成装置（複合機１０１）を提供することができる。又、異常が生じたことを検知するために、従来のようにモーター（コンテナモーター９１）の電流検知用の回路を設けることなく、駆動機構９を停止させることができ、画像形成装置（複合機１０１）の製造コストを低減することができる。
【０１０１】
（第２の実施形態）
次に、図９、図１０を用いて、第２の実施形態に係る駆動機構９の異常検知と検知時の駆動機構９の停止の流れの一例を説明する。図９は第２の実施形態に係る駆動機構９の異常検知と検知時の駆動機構９の停止の流れの一例を示すフローチャートである。図１０は以前に装着されたコンテナ７に関する周期推移データの一例を示す説明図である。
【０１０２】
第１の実施形態では、制御部８はトナーセンサー７５の出力値の変動の周期が第１周期よりも長いか否かにより駆動機構９で異常発生が発生したか否かを判断していた。そして、第２の実施形態では、以前に装着されていたコンテナ７で計測されたトナーセンサー７５の出力値の変動の周期を用いて駆動機構９で異常発生が発生したか否かを判断する点で異なる。
【０１０３】
尚、その他の点については、以下で特に説明する点を除き、第１の実施形態と同様でよい。そこで、第２の実施形態の説明では、第１の実施形態と共通する部分については、援用するものとし、説明、図示を省略する。
【０１０４】
そこで、図９を用いて、第２の実施形態での駆動機構９の異常検知と検知時の駆動機構９の停止の流れを説明する。第１の実施形態と同様、図９のスタートは制御部８がコンテナモーター９１及び撹拌部材７４の回転を開始させる時点である。
【０１０５】
撹拌部材７４の回転が開始されると（スタート）、制御部８は駆動機構９の異常を検知するうえで用いる第１周期を求める（ステップ♯２１）。
【０１０６】
ここで、図１０を用いて、本実施形態での第１周期の求め方を説明する。制御部８は以前に複合機１０１に装着されたコンテナ７で計測された（制御部８が認識した）トナーセンサー７５の出力値の変動の周期に予め定められた固定時間を加算した時間を第１周期として求める。尚、固定時間は任意に定めることができる時間である。固定時間は周期が長くなったときに許容できる限界を示す目安の時間である。例えば、第１の実施形態での第１周期と通常周期の時間差を固定時間と定めることができる。
【０１０７】
そして、第１周期を求めるため、本実施形態のトナー供給装置１００の記憶装置８２はコンテナ７のトナーの残量に関連付けて、トナーセンサー７５の出力値の変動の周期を周期推移データとして随時記憶する。尚、直前に装着されていたコンテナ７の出力値の変動の周期の計測結果だけを周期推移データとして記憶するようにしてもよい。
【０１０８】
例えば、図１０に示すように、記憶装置８２は複合機１０１に装着されていたコンテナ７について、コンテナ７のトナーの残量（図１０に示す例では１％刻み）に応じて認識した（計測した）周期を随時、周期推移データとして記憶する。尚、コンテナ７のトナーの残量に関連付けられて記憶される周期は、そのトナーの残量中、複数回計測された周期の平均値としてもよいし、そのトナーの残量中に計測された１回分の周期でもよい。このように以前に複合機１０１に取り付けられたコンテナ７で実際に計測された周期を用いるので、複合機１０１やトナー供給装置１００の個体差や経時的な変化を考慮に入れて駆動機構９での異常の発生の有無を判断できる。
【０１０９】
そして、制御部８は基準周期の読み出しに際し、第１の実施形態と同様にコンテナ７のトナーの残量を求め、周期推移データ中、求めたトナーの残量に対応して以前に計測された周期を記憶装置８２から読み出し、予め定められた固定時間を加算して第１周期を求める（ステップ♯２１）。
【０１１０】
そして、制御部８はコンテナモーター９１の回転開始から予め定められた待ち時間だけ待つ（ステップ♯２２）。予め定められた待ち時間を設ける理由は、第１の実施形態と同様であるので、説明を省略する。
【０１１１】
次に、制御部８はトナーセンサー７５の出力値の変動の周期を計測する（ステップ♯２３）。続いて、制御部８は計測した周期が求めた第１周期よりも長いか否かを判断する（ステップ♯２４）。もし、計測した周期よりも第１周期の方が長ければ（ステップ♯２４のＹｅｓ）、制御部８は駆動機構９で異常が生じていると認識する（異常発生検知、ステップ♯２５）。
【０１１２】
この異常発生検知に応じて、制御部８は駆動機構９で異常が発生している旨を報知する（ステップ♯２６）。更に、制御部８は駆動機構９を停止させる（ステップ♯２７）。具体的には、制御部８はコンテナモーター９１を停止させる。そして、本フローは終了する。
【０１１３】
一方、計測した周期が第１周期以下であれば（ステップ♯２４のＮｏ）、制御部８は計測した周期が第２周期よりも長いか否かを確認する（ステップ♯２８）。ここで、第２周期も第１周期と同様、制御部８は以前に複合機１０１に装着されたコンテナ７で計測された（制御部８が認識した）トナーセンサー７５の出力値の変動の周期に予め定められた第２固定時間を加算して第２周期を求める。尚、第２固定時間は任意に定めることができる時間である。第２周期は、撹拌部材７４を回転させるためのトルクがやや大きくなっていて、コンテナ７の再装着を促すうえでの目安の時間である。第２周期は通常周期よりも長くなるように定められる。例えば、第１の実施形態での第２周期と通常周期の時間差を第２固定時間と定めることができる。
【０１１４】
そこで、計測した周期が第２周期よりも長ければ（ステップ♯２８のＹｅｓ）、制御部８はコンテナ７の再装着を促す旨を報知する（ステップ♯２９）。報知の手順は第１の実施形態と同様でよいので説明を省略する。
【０１１５】
一方、計測した周期が第２周期以下であり、特に異常が無ければ（ステップ♯２８のＮｏ）、制御部８はコンテナモーター９１を停止させるか否かを確認する（ステップ♯３０）。もし、コンテナモーター９１をまだ回転させるのであれば（ステップ♯３０のＮｏ）、例えば、フローはステップ♯２３に戻る。これにより、コンテナモーター９１により撹拌部材７４を回転させている間、駆動機構９の異常の検知が行われる。一方、コンテナモーター９１を停止させるのであれば（ステップ♯３０のＮｏ）、駆動機構９の異常検知は不要となり、トナーセンサー７５の出力値の変動の周期を計測できなくなるので、本フローは終了する（エンド）。
【０１１６】
このようにして、本実施形態のトナー供給装置１００は、トナー収容体（コンテナ７）のトナーの残量を求めるためのトナー消費量データと、トナー収容体のトナーの残量に応じた周期を示す周期推移データを記憶する記憶部（記憶装置８２、タグ７１）を含み、検知処理部（制御部８）は、トナー消費量データに基づきトナー収容体のトナーの残量を求め、以前に取り付けられたトナー収容体で同じトナーの残量のときに認識した周期に固定時間を加算した時間を第１周期とする。これにより、第１の実施形態で得られた効果に加え、前のトナー収容体（コンテナ７）取り付け時に計測された周期を用いることで、トナー供給装置１００の個体差や経時的な変化を鑑み、駆動機構９の異常発生の検知の精度を向上させることができる。又、トナー供給装置１００の個体差を鑑み、適切なタイミングで駆動機構９を停止させることができる。
【０１１７】
以上、本発明の実施形態を説明したが、本発明の範囲はこれに限定されるものではなく、発明の主旨を逸脱しない範囲で種々の変更を加えて実施することができる。
【産業上の利用可能性】
【０１１８】
本発明は、トナーを用いて画像を形成する画像形成装置に使用可能である。
【符号の説明】
【０１１９】
１００  トナー供給装置                  １０１  複合機（画像形成装置）
１      操作パネル（報知部）            ５４    現像装置
７      コンテナ（トナー収容体）        ７１    タグ（記憶部）
７４    撹拌部材                        ７５    トナーセンサー（トナー検知体）
８      制御部（検知処理部）            ８２    記憶装置（記憶部）
９      駆動機構                        ９１    コンテナモーター（モーター）
【図１】
0005826045.tif 000002
【図２】
0005826045.tif 000003
【図３】
0005826045.tif 000004
【図４】
0005826045.tif 000005
【図５】
0005826045.tif 000006
【図６】
0005826045.tif 000007
【図７】
0005826045.tif 000008
【図８】
0005826045.tif 000009
【図９】
0005826045.tif 000010
【図１０】
0005826045.tif 000011